(57)【要約】  式（１）で表される化合物；【化１】2018051776.tif 000029（式中、Ｒ１、Ｒ２、Ｒ３は、独立して、水素又はメチル基であり、  Ｘは、炭素数１〜４のアルキル基であり、  Ｒ４及びＲ５は、独立して、水素、又は−ＣＨＯ基であり、  【化２】2018051776.tif 000030は、単結合又は二重結合である。）を含有する、香料組成物は、調合香料原料として有用な、優れた香気及び香気持続性を有する。
2018051776.tif 000002
【特許請求の範囲】
【請求項１】
式（１）で表される化合物；
【化１】
2018051776.tif 000024
（式中、Ｒ１、Ｒ２、Ｒ３は、独立して、水素又はメチル基であり、
Ｘは、炭素数１〜４のアルキル基であり、
Ｒ４及びＲ５は、独立して、水素、又は−ＣＨＯ基であり、
【化２】
2018051776.tif 000025
は、単結合又は二重結合である。）
を含有する、香料組成物。
【請求項２】
式（１）で表される化合物が、以下の式（１−１）〜式（１−３）；
【化３】
2018051776.tif 000026
（式（１−１）中、Ｒ１、Ｒ２、Ｒ３は、独立して、水素又はメチル基であり、
Ｘは、炭素数１〜４のアルキル基である。）
【化４】
2018051776.tif 000027
（式（１−２）中、Ｒ１、Ｒ２、Ｒ３は、独立して、水素又はメチル基であり、
Ｘは、炭素数１〜４のアルキル基である。）
【化５】
2018051776.tif 000028
（式（１−３）中、Ｒ１、Ｒ２、Ｒ３は、独立して、水素又はメチル基であり、
Ｘは、炭素数１〜４のアルキル基であり、
Ｒ４及びＲ５のいずれか一方は、水素であり、もう一方は、−ＣＨＯ基である。）
からなる群より選択される１種以上である、請求項１に記載の香料組成物。
【請求項３】
請求項１又は２に記載の香料組成物を含有する、香粧品、健康衛生材料、雑貨、飲料、食品、医薬部外品又は医薬品。
【発明の詳細な説明】
【技術分野】
【０００１】
本発明は、香料組成物に関する。
【背景技術】
【０００２】
エステル類には香料として有用な化合物があることが知られている。例えば、非特許文献１には、ローズ様香気を持つ酢酸ゲラニル、ジャスミン様の甘い香気を持つジャスモン酸メチル、フルーティな香気をもつフルテート、強くドライフルーティな香気をもつ安息香酸メチル等が調合香料素材として有用であることが記載されている。
【先行技術文献】
【非特許文献】
【０００３】
【非特許文献１】中島基貴  編、「香料と調香の基礎知識」、１９９５年、２１５ページ、２３５ページ、２４４〜２４６ページ、産業図書株式会社
【発明の概要】
【発明が解決しようとする課題】
【０００４】
本発明の課題は、調合香料原料として有用な、優れた香気及び香気持続性を有する香料組成物を提供することにある。
【課題を解決するための手段】
【０００５】
本発明者は、テルペン類の中で、多環構造を有する化合物に優れた香気を有するものが多いことに興味を持ち、多環構造を有する化合物を種々合成し、その香気を評価したところ、ノルボルナン−２−カルボン酸エステル化合物類が優れた香気を有し、調合香料として極めて優れることを見出し、本発明を完成するに至った。【０００６】
すなわち、本発明は、以下のとおりである。
［１］
式（１）で表される化合物；
【化１】
2018051776.tif 000003
（式中、Ｒ１、Ｒ２、Ｒ３は、独立して、水素又はメチル基であり、
Ｘは、炭素数１〜４のアルキル基であり、
Ｒ４及びＲ５は、独立して、水素、又は−ＣＨＯ基であり、
【化２】
2018051776.tif 000004
は、単結合又は二重結合である。）
を含有する、香料組成物。
［２］
式（１）で表される化合物が、以下の式（１−１）〜式（１−３）；
【化３】
2018051776.tif 000005
（式（１−１）中、Ｒ１、Ｒ２、Ｒ３は、独立して、水素又はメチル基であり、
Ｘは、炭素数１〜４のアルキル基である。）
【化４】
2018051776.tif 000006
（式（１−２）中、Ｒ１、Ｒ２、Ｒ３は、独立して、水素又はメチル基であり、
Ｘは、炭素数１〜４のアルキル基である。）
【化５】
2018051776.tif 000007
（式（１−３）中、Ｒ１、Ｒ２、Ｒ３は、独立して、水素又はメチル基であり、
Ｘは、炭素数１〜４のアルキル基であり、
Ｒ４及びＲ５のいずれか一方は、水素であり、もう一方は、−ＣＨＯ基である。）
からなる群より選択される１種以上である、［１］に記載の香料組成物。
［３］
［１］又は［２］に記載の香料組成物を含有する、香粧品、健康衛生材料、雑貨、飲料、食品、医薬部外品又は医薬品。
【発明の効果】
【０００７】
本発明のノルボルナン−２−カルボン酸エステル化合物類を含有する香料組成物は、優れた香気を有し、優れた香気持続性を有するため、トイレタリー用品や石鹸、衣料用洗剤等の幅広い製品への賦香成分として有用である。
【発明を実施するための形態】
【０００８】
以下、本発明を実施するための形態（以下、単に「本実施形態」という。）について詳細に説明する。以下の本実施形態は、本発明を説明するための例示であり、本発明を以下の内容に限定する趣旨ではない。本発明は、その要旨の範囲内で適宜に変形して実施できる。
【０００９】
［香料組成物］
本実施形態の香料組成物は、ノルボルナン−２−カルボン酸エステル化合物類、すなわち、式（１）で表される化合物を含有する。
本実施形態の香料組成物とは、式（１）で表される化合物単独又は２種以上を主成分とする香料組成物であってもよく、通常用いられる他の香料成分や、所望組成の調合香料に、式（１）で表される化合物を単独で又は２種以上を混合した香料組成物であってもよい。
式（１）で表される化合物単独又は２種以上を主成分とするとは、式（１）で表される化合物を、該香料組成物全量に対し通常８５質量％以上、好ましくは９０質量％以上、より好ましくは９６質量％以上、さらに好ましくは９８質量％以上含むことを指す。
【００１０】
【化６】
2018051776.tif 000008
【００１１】
式（１）中、Ｒ１、Ｒ２、Ｒ３は、独立して、水素又はメチル基であり、
Ｘは、炭素数１〜４のアルキル基であり、
Ｒ４及びＲ５は、独立して、水素、又は−ＣＨＯ基であり、
【化７】
2018051776.tif 000009
は、単結合又は二重結合である。
【００１２】
本実施形態における式（１）で表される化合物は、好ましくは以下の式（１−１）〜式（１−３）で表される化合物である。式（１−１）〜式（１−３）で表される化合物は、１種単独であってもよく、２種以上の組み合わせであってもよい。
【００１３】
【化８】
2018051776.tif 000010
【００１４】
式（１−１）中、Ｒ１、Ｒ２、Ｒ３及びＸは、式（１）におけるＲ１、Ｒ２、Ｒ３及びＸと同義である。
すなわち、Ｒ１、Ｒ２、Ｒ３は、独立して、水素又はメチル基であり、
Ｘは、炭素数１〜４のアルキル基である。
【００１５】
【化９】
2018051776.tif 000011
【００１６】
式（１−２）中、Ｒ１、Ｒ２、Ｒ３及びＸは、式（１）におけるＲ１、Ｒ２、Ｒ３及びＸと同義である。
すなわち、Ｒ１、Ｒ２、Ｒ３は、独立して、水素又はメチル基であり、
Ｘは、炭素数１〜４のアルキル基である。
【化１０】
2018051776.tif 000012
【００１７】
式（１−３）中、Ｒ１、Ｒ２、Ｒ３、及びＸは、式（１）におけるＲ１、Ｒ２、Ｒ３、及びＸと同義である。
すなわち、式（１−３）中、Ｒ１、Ｒ２、Ｒ３は、独立して、水素又はメチル基であり、
Ｘは、炭素数１〜４のアルキル基である。
Ｒ４及びＲ５のいずれか一方は、水素であり、もう一方は、−ＣＨＯ基である。
【００１８】
式（１）、式（１−１）〜式（１−３）におけるＲ１、Ｒ２、Ｒ３は、独立して、水素又はメチル基である。
Ｒ２及びＲ３は、好ましくは水素である。
また、式（１）、式（１−１）〜式（１−３）におけるＸは、炭素数１〜４のアルキル基である。炭素数１〜４のアルキル基としては、メチル基、エチル基、ｎ−プロピル基、ｉｓｏ−プロピル基、ｎ−ブチル基、ｉｓｏ−ブチル基、ｔｅｒｔ−ブチル基が挙げられる。Ｘは、好ましくはメチル基及びエチル基である。
【００１９】
式（１）及び式（１−１）〜式（１〜３）で表される化合物は、立体配置が示されていない不斉炭素についての光学異性体のいずれか１種の単一物であっても、これらが任意の割合で含まれる混合物であってもよい。
【００２０】
式（１−１）で表される化合物としては、好ましくはノルボルネン−２−カルボン酸メチルエステル、ノルボルネン−２−カルボン酸エチルエステル、ノルボルネン−２−メチル−２−カルボン酸メチルエステル、ノルボルネン−２−メチル−２−カルボン酸エチルエステルのいずれかであり、より好ましくはノルボルネン−２−カルボン酸メチルエステル、ノルボルネン−２−メチル−２−カルボン酸メチルエステルのいずれかである。
本実施形態における式（１−１）で表される化合物は、強い完熟バナナとメロン様のフルーティさと、オゾン様のマリンノートを合わせ持つ香気、ないしはフレッシュなフローラルグリーン調の香りとフルーティさを合わせ持った香気を有し、かつ持続性にも優れる。
【００２１】
式（１−２）で表されるとしては、好ましくはノルボルナン−２−カルボン酸メチルエステル、ノルボルナン−２−カルボン酸エチルエステル、ノルボルナン−２−メチル−２−カルボン酸メチルエステル、ノルボルナン−２−メチル−２−カルボン酸エチルエステルのいずれかであり、より好ましくはノルボルナン−２−カルボン酸メチルエステル、ノルボルナン−２−メチル−２−カルボン酸メチルエステルのいずれかである。
本実施形態における式（１−２）で表される化合物は、フルーティ感のあるハーバルグリーン様の香気を有し、かつ持続性にも優れる。
【００２２】
式（１−３）で表される化合物としては、好ましくはホルミルノルボルナン−２−カルボン酸メチルエステル、ホルミルノルボルナン−２−カルボン酸エチルエステル、ホルミルノルボルナン−２−メチル−２−カルボン酸メチルエステル、ホルミルノルボルナン−２−メチル−２−カルボン酸エチルエステルのいずれかであり、より好ましくはホルミルノルボルナン−２−カルボン酸メチルエステル、ホルミルノルボルナン−２−メチル−２−カルボン酸メチルエステルのいずれかである。
本実施形態における式（１−３）で表される化合物は、強いメロンやキウイ様フルーティさとフレッシュなマリンノート、及びローズ様フローラルを合わせ持つ新規な香気であり、かつ持続性にも優れる。
【００２３】
以上のように式（１）で表される化合物は、フルーティさ等の優れた香気を有し且つ持続性にも優れることから、単独で又は他の成分と組み合わせて香粧品類、健康衛生材料、雑貨、飲料、食品、医薬部外品、医薬品等の各種製品の香気成分として使用できる。具体的には、石鹸、シャンプー、リンス、洗剤、化粧品、スプレー製品、芳香剤、香水、又は入浴剤等の賦香成分として使用できる。
【００２４】
［式（１）で表される化合物の製造方法］
本実施形態における式（１）で表される化合物は、例えば、オレフィンとジシクロペンタジエンとを加熱反応するディールス−アルダー反応を鍵工程とする合成法により製造することができる。
具体的には、式（１−１）で表される化合物は、以下のとおりオレフィンとジシクロペンタジエンとを加熱反応するディールス−アルダー反応により製造することができる。
【００２５】
【化１１】
2018051776.tif 000013
（式中、Ｒ１、Ｒ２、Ｒ３及びＸは、式（１）におけるＲ１、Ｒ２、Ｒ３及びＸと同義である。すなわち、Ｒ１、Ｒ２、Ｒ３は、独立して、水素又はメチル基であり、Ｘは、炭素数１〜４のアルキル基である。）
【００２６】
前記オレフィンとしては、例えば、アクリル酸メチル、アクリル酸エチル、アクリル酸プロピル、アクリル酸ブチル、メタクリル酸メチル、メタクリル酸エチル、メタクリル酸プロピル、メタクリル酸ブチル、クロトン酸メチル、クロトン酸エチル、クロトン酸プロピル、クロトン酸ブチル、３−メチルクロトン酸メチル、３−メチルクロトン酸エチル、３−メチルクロトン酸プロピル、３−メチルクロトン酸ブチル等が挙げられる。これらのオレフィンの中でも好ましくは、アクリル酸メチル、アクリル酸エチル、メタクリル酸メチル、メタクリル酸エチル、クロトン酸メチル、クロトン酸エチル、３−メチルクロトン酸メチル、３−メチルクロトン酸エチルであり、より好ましくは、アクリル酸メチル、アクリル酸エチル等、メタクリル酸メチル、メタクリル酸エチルである。
【００２７】
また、前記ジシクロペンタジエンは、その純度が高いものが好ましく、ブタジエン、イソプレン等の含有量は極力避けることが望ましい。ジシクロペンタジエンの純度は、好ましくは９０％以上であり、より好ましくは９５％以上である。また、ジシクロペンタジエンは加熱条件下で解重合しシクロペンタジエンになることが知られていることから、ジシクロペンタジエンの代わりにシクロペンタジエンを使用することも可能である。
【００２８】
ディールス−アルダー反応を効率的に進行させるためには反応系内にシクロペンタジエンが存在することが重要であるため、反応温度は、好ましくは１００℃以上であり、より好ましくは１２０℃以上であり、さらに好ましくは１３０℃以上である。
一方、高沸物質の副生を抑えるために、反応温度は、好ましくは２５０℃以下の温度である。
また、反応溶媒として炭化水素類やアルコール類、エステル類等を使用することも可能であり、炭素数６以上の脂肪族炭化水素類、具体的には、シクロヘキサン、トルエン、キシレン、エチルベンゼン、メシチレン、プロパノール、ブタノール等が好適である。
【００２９】
本実施形態のディールス−アルダー反応の反応方式としては、槽型反応器等による回分式、反応条件下の槽型反応器に基質や基質溶液を供給する半回分式、管型反応器に反応条件下で基質類を流通させる連続流通式等、多様な反応方式を採ることが可能である。
【００３０】
上記反応で得られた生成物は、式（１）で表される化合物を含有する香料組成物として用いてもよく、次の反応の原料として用いてもよく、蒸留、抽出、晶析等の方法によって精製した後、香料組成物や次の反応の原料としてもよい。
得られた生成物、すなわち、式（１−１）で表される化合物は、次の反応の原料とすることができ、式（１−２）で表される化合物及び式（１−３）で表される化合物を合成するための原料とすることができる。
【００３１】
具体的には、式（１−２）で表される化合物は、以下のとおり式（１−１）で表される化合物を触媒存在下で水素化反応することにより製造することができる。
【００３２】
【化１２】
2018051776.tif 000014
（式中、Ｒ１、Ｒ２、Ｒ３及びＸは、式（１）におけるＲ１、Ｒ２、Ｒ３及びＸと同義である。すなわち、Ｒ１、Ｒ２、Ｒ３は、独立して、水素又はメチル基であり、Ｘは、炭素数１〜４のアルキル基である。）
【００３３】
前記水素化反応に使用する触媒は、通常不飽和結合の水素化に用いられる触媒であれば特に限定されないが、周期表第８〜１１属金属から選ばれる少なくとも１種を含有する触媒が好ましい。具体的には鉄、コバルト、ニッケル、銅、ルテニウム、ロジウム、パラジウム、銀、オスミウム、イリジウム、白金、金のうち少なくとも１種を含有する触媒が挙げられる。
【００３４】
前記水素化触媒は、固体触媒でも均一系触媒でもよく、反応物との分離性の観点から、固体触媒が好ましい。固体触媒としては、非担持型金属触媒や担持金属触媒等が例示される。
【００３５】
非担持型金属触媒としては、好ましくはラネーニッケル、ラネーコバルト、及びラネー銅等のラネー触媒；白金、パラジウム、ロジウム、及びルテニウム等の酸化物；コロイド触媒；等が挙げられる。
【００３６】
担持金属触媒としては、例えば、マグネシア、ジルコニア、セリア、ケイソウ土、活性炭、アルミナ、シリカ、ゼオライト、及びチタニア等の担体に、鉄、コバルト、ニッケル、銅、ルテニウム、ロジウム、パラジウム、銀、オスミウム、イリジウム、白金、及び金のうち少なくとも１種を担持あるいは混合したものが挙げられる。
担持金属触媒としては、具体的には、銅−クロム触媒（Adkins触媒）、銅−亜鉛触媒、銅−鉄等の銅触媒を担体に担持した担持銅触媒、Ｐｔ／ＣやＰｔ／アルミナ等の担持白金触媒、Ｐｄ／ＣやＰｄ／アルミナ等の担持パラジウム触媒、Ｒｕ／ＣやＲｕ／アルミナ等の担持ルテニウム触媒、Ｒｈ／ＣやＲｈ／アルミナ等の担持ロジウム触媒等が好適に挙げられる。
これらの触媒の中でも、反応活性及び選択性の点で、より好ましくは銅を含有する触媒である。
【００３７】
水素化触媒の使用量は、触媒の種類によって適宜調整すればよく、原料であるノルボルネン−２−カルボン酸エステル化合物に対して、０．００１〜１００質量％、好ましくは０．０１〜３０質量％、さらに好ましくは０．１〜２０質量％である。
【００３８】
水素化反応の水素圧力は、常圧、加圧下のいずれであってもよく、通常、常圧〜４．０ＭＰａであり、好ましくは０．１〜３．０ＭＰａ、より好ましくは０．１〜２．０ＭＰａである。
【００３９】
水素化反応は、無溶媒で行ってもよく、溶媒を使用して行ってもよい。
溶媒としては、水、ギ酸、及び酢酸等の有機酸類；酢酸エチル、及び酢酸ブチル等のエステル類；ベンゼン、o-ジクロロベンゼン、トルエン、及びキシレン等の芳香族化合物類；ヘキサン、ヘプタン、及びシクロヘキサン等の炭化水素類；メタノール、エタノール、イソプロピルアルコール、t−ブチルアルコール、エチレングリコール、及びジエチレングリコール等のアルコール類；ジオキサン、テトラヒドロフラン、ジメトキシエタン、及びジグライム等のエーテル類；等、あるいはこれらの混合物が挙げられる。
水素化反応で溶媒を使用する際の溶媒の量は、原料であるノルボルネン−２−カルボン酸エステル化合物に対し、通常０．１〜３０質量倍であり、好ましくは０．２〜２０質量倍である。
【００４０】
水素化反応の反応温度は、通常−９０℃〜２００℃で行うことができる。反応温度は、好ましくは２０℃〜１５０℃であり、より好ましくは５０℃〜１２０℃である。
【００４１】
水素化反応の形式は、接触水素化反応が可能であれば特に限定されるものでなく、通常用いられる公知の形式でよい。水素化反応の形式としては、例えば、触媒を流体で流動化させて接触水素化反応を行う懸濁床反応器、触媒を充填固定化し流体を供給することで接触水素化反応を行う固定床反応器を用いる形式等が挙げられる。
【００４２】
水素化反応で得られた反応生成物は、エバポレーター等により低沸物等を除去した後、蒸留塔を用いて精留を行うことにより、式（１−２）で表される化合物を含有する香料組成物として用いることができる。
【００４３】
式（１−３）で表される化合物は、以下のとおり式（１−１）で表される化合物に対し、一酸化炭素及び水素ガスを、ロジウム化合物、有機リン化合物の存在下でヒドロホルミル化反応することによって合成することができる。
【００４４】
【化１３】
2018051776.tif 000015
（式中、Ｒ１、Ｒ２、Ｒ３、及びＸは、式（１）におけるＲ１、Ｒ２、Ｒ３、及びＸと同義である。すなわち、式中、Ｒ１、Ｒ２、Ｒ３は、独立して、水素又はメチル基であり、Ｘは、炭素数１〜４のアルキル基である。Ｒ４及びＲ５のいずれか一方は、水素であり、もう一方は、−ＣＨＯ基である。）
【００４５】
ヒドロホルミル化反応で使用されるロジウム化合物は、有機リン化合物と錯体を形成し、一酸化炭素と水素との存在下でヒドロホルミル化活性を示す化合物であればその前駆体の形態に制約は無い。ロジウムアセチルアセトナートジカルボニル（以下、Ｒｈ(ａｃａｃ)(ＣＯ)２と記す）、Ｒｈ２Ｏ３、Ｒｈ４(ＣＯ)１２、Ｒｈ６(ＣＯ)１６、Ｒｈ(ＮＯ３)３等の触媒前駆物質を有機リン化合物と共に反応混合物中に導入し、反応容器内で触媒活性を持つロジウム金属ヒドリドカルボニルリン錯体を形成させてもよいし、予めロジウム金属ヒドリドカルボニルリン錯体を調製して、それを反応器内に導入してもよい。ヒドロホルミル化反応で使用されるロジウム化合物の好ましい製造方法としては、具体例には、Ｒｈ(ａｃａｃ)(ＣＯ)２を溶媒の存在下で有機リン化合物と反応させた後、過剰の有機リン化合物と共に反応器に導入し、触媒活性を有するロジウム−有機リン錯体とする方法が挙げられる。
【００４６】
ヒドロホルミル化反応におけるロジウム化合物の使用量は、ヒドロホルミル化反応の基質であるオレフィン１モルに対して、好ましくは０．１〜３０マイクロモルであり、より好ましくは０．２〜２０マイクロモルであり、さらに好ましくは０．５〜１０マイクロモルである。ロジウム化合物の使用量をオレフィン１モルに対して３０マイクロモルより少なくすることにより、ロジウム錯体の回収リサイクル設備を設けなくてもロジウム触媒費を軽減することが可能なため、回収リサイクル設備に関わる経済的負担を減らすことができる。また、ロジウム化合物の使用量をオレフィン１モルに対して０．１マイクロモルより多くすることで、高い収率でヒドロホルミル化反応生成物を得ることができる。
【００４７】
ヒドロホルミル化反応において、ロジウム化合物とヒドロホルミル化反応の触媒を形成する有機リン化合物としては、例えば一般式Ｐ（−Ｒ６）（−Ｒ７）（−Ｒ８）で表されるホスフィン又はＰ(−ＯＲ６)(−ＯＲ７)(−ＯＲ８)で表されるホスファイト等が挙げられる。
Ｒ６、Ｒ７、Ｒ８の具体例としては、炭素数１〜４のアルキル基又は炭素数１〜４のアルコキシ基で置換されていてもよいアリール基、及び炭素数１〜４のアルキル基又は炭素数１〜４のアルコキシ基で置換されていてもよい脂環式アルキル基等が挙げられる。
有機リン化合物としては、具体的には、トリフェニルホスフィン、トリフェニルホスファイトが好適に用いられる。
有機リン化合物の使用量は、好ましくはロジウム金属の５００倍モル〜１００００倍モルであり、より好ましくは７００倍モル〜５０００倍モルであり、さらに好ましくは９００倍モル〜２０００倍モルである。有機リン化合物の使用量がロジウム金属の５００倍モルよりも少ない場合、触媒活物質のロジウム金属ヒドリドカルボニルリン錯体の安定性が損なわれ、反応の進行が遅くなる傾向にある。また、有機リン化合物の使用量がロジウム金属の１００００倍モルよりも多い場合、有機リン化合物に掛かるコストが増える傾向にある。
【００４８】
ヒドロホルミル化反応は、溶媒を使用せずに行うことも可能であり、反応に不活性な溶媒を使用することにより、一層好適に実施することもできる。溶媒としては、例えば、オレフィン、ジシクロペンタジエンあるいはシクロペンタジエン、及び、前記ロジウム化合物、並びに前記有機リン化合物を溶解するものであれば特に制限はない。
溶媒としては、具体的には、脂肪族炭化水素、脂環式炭化水素、及び芳香族炭化水素等の炭化水素類；脂肪族エステル、脂環式エステル、及び芳香族エステル等のエステル類；脂肪族アルコール、及び脂環式アルコール等のアルコール類；芳香族ハロゲン化物；等が挙げられる。これらの溶媒の中でも、好ましくは炭化水素類であり、より好ましくは脂環式炭化水素、芳香族炭化水素である。
【００４９】
ヒドロホルミル化反応を行う場合の温度としては、好ましくは４０℃〜１６０℃であり、より好ましくは８０℃〜１４０℃である。反応温度が４０℃以上としることにより、十分な反応速度が得られ、原料であるオレフィンの残留を抑えられる。また、反応温度が１６０℃以下にすることにより、原料オレフィンや反応生成物由来の副生物の生成を抑え、反応成績の低下を防ぐことができる。
【００５０】
ヒドロホルミル化反応を行う場合、一酸化炭素（ＣＯ）及び水素（Ｈ２）ガスによる加圧下で反応を行う必要がある。ＣＯ及びＨ２ガスは各々独立に反応系内に導入することも、また、予め調製された混合ガスとして反応系内に導入することも可能である。反応系内に導入されるＣＯ及びＨ２ガスのモル比（＝ＣＯ／Ｈ２）は、好ましくは０．２〜５であり、より好ましくは０．５〜２であり、さらに好ましくは０．８〜１．２である。ＣＯ及びＨ２ガスのモル比がこの範囲から逸脱すると、ヒドロホルミル化反応の反応活性や目的とするアルデヒドの選択率が低下することがある。反応系内に導入したＣＯ及びＨ２ガスは反応の進行に伴い減少していくため、予め調製されたＣＯとＨ２の混合ガスを利用すると反応制御が簡便な場合がある。
【００５１】
ヒドロホルミル化反応の反応圧力としては、好ましくは１〜１２ＭＰａであり、より好ましくは１．２〜９ＭＰａであり、さらに好ましくは１．５〜５ＭＰａである。反応圧力を１ＭＰａ以上とすることにより、十分な反応速度が得られ、原料であるオレフィンが残留を抑えることができる。また、反応圧力を１２ＭＰａ以下とすることにより、耐圧性能に優れる高価な設備を必要としなくなるため経済的に有利である。特に、回分式や半回分式で反応を行う場合、反応終了後にＣＯ及びＨ２ガスを排出、落圧する必要があり、低圧になるほどＣＯ及びＨ２ガスの損失が少なくなるため経済的に有利である。
【００５２】
ヒドロホルミル化反応を行う場合の反応方式としては、回分式反応や半回分式反応が好適である。半回分式反応はロジウム化合物、有機リン化合物、前記溶媒を反応器に加え、ＣＯ／Ｈ２ガスによる加圧や加温等を行い、既述の反応条件とした後に原料であるオレフィン又はその溶液を反応器に供給することにより行うことが可能である。
【００５３】
前記ヒドロホルミル化反応で得られた反応生成物は、エバポレーター等により低沸物等を除去した後、蒸留塔を用いて精留を行うことにより、式（１−３）で表される化合物を含有する香料組成物として用いることができる。
【００５４】
本実施形態の香料組成物は、通常用いられる他の香料成分や、所望組成の調合香料に、前述した式（１）で表される化合物を単独で又は２種以上を混合し、配合されていてもよい。
【００５５】
本実施形態の香料組成物における式（１）で表される化合物の配合量は、調合香料の種類、目的とする香気の種類及び香気の強さ等により適宜調整すればよく、調合香料中に０．０１〜９０質量％を加えることが好ましく、０．１〜５０質量％加えることがより好ましい。
【００５６】
本実施形態の香料組成物において、式（１）で表される化合物と組み合わせて用いることができる香料成分としては、以下のものに限定されないが、例えば、ポリオキシエチレンラウリル硫酸エーテル等の界面活性剤；ジプロピレングリコール、ジエチルフタレート、エチレングリコール、プロピレングリコール、メチルミリステート、トリエチルシトレート等の溶媒；リモネン、α−ピネン、β−ピネン、テルピネン、セドレン、ロンギフォレン、バレンセン等の炭化水素類；リナロール、シトロネロール、ゲラニオール、ネロール、テルピネオール、ジヒドロミルセノール、エチルリナロール、ファルネソール、ネロリドール、シス−３−ヘキセノール、セドロール、メントール、ボルネオール、β−フェニルエチルアルコール、ベンジルアルコール、フェニルヘキサノール、２，２，６−トリメチルシクロヘキシル−３−ヘキサノール、１−（２−ｔ−ブチルシクロヘキシルオキシ）−２−ブタノール、４−イソプロピルシクロヘキサンメタノール、４−メチル−２−（２−メチルプロピル）テトラヒドロ−２Ｈ−ピラン−４−オール、２−メチル−４−（２，２，３−トリメチル−３−シクロペンテン−１−イル）−２−ブテン−１−オール、２−エチル−４−（２，２，３−トリメチル−３−シクロペンテン−１−イル）−２−ブテン−１−オール、イソカンフィルシクロヘキサノール、３，７−ジメチル−７−メトキシオクタン−２−オール等のアルコール類；オイゲノール、チモール、バニリン等のフェノール類；リナリルホルメート、シトロネリルホルメート、ゲラニルホルメート、ｎ−ヘキシルアセテート、シス−３−ヘキセニルアセテート、リナリルアセテート、シトロネリルアセテート、ゲラニルアセテート、ネリルアセテート、テルピニルアセテート、ノピルアセテート、ボルニルアセテート、イソボルニルアセテート、ｏ−ｔ−ブチルシクロヘキシルアセテート、p−ｔ−ブチルシクロヘキシルアセテート、トリシクロデセニルアセテート、ベンジルアセテート、スチラリルアセテート、シンナミルアセテート、ジメチルベンジルカルビニルアセテート、３−ペンチルテトラヒドロピラン−４−イルアセテート、シトロネリルプロピオネート、トリシクロデセニルプロピオネート、アリルシクロヘキシルプロピオネート、エチル２−シクロヘキシルプロピオネート、ベンジルプロピオネート、シトロネリルブチレート、ジメチルベンジルカルビニルｎ−ブチレート、トリシクロデセニルイソブチレート、メチル２−ノネノエート、メチルベンゾエート、ベンジルベンゾエート、メチルシンナメート、メチルサリシレート、ｎ−ヘキシルサリシレート、シス−３−ヘキセニルサリシレート、ゲラニルチグレート、シス−３−ヘキセニルチグレート、メチルジャスモネート、メチルジヒドロジャスモネート、メチル−２，４−ジヒドロキシ−３，６−ジメチルベンゾエート、エチルメチルフェニルグリシデート、メチルアントラニレート、フルテート等のエステル類；ｎ−オクタナール、ｎ−デカナール、ｎ−ドデカナール、２−メチルウンデカナール、１０−ウンデセナール、シトロネラール、シトラール、ヒドロキシシトロネラール、ジメチルテトラヒドロベンズアルデヒド、４（３）−（４−ヒドロキシ−��−メチルペンチル）−３−シクロヘキセン−１−カルボアルデヒド、２−シクロヘキシルプロパナール、ｐ−ｔ−ブチル−α−メチルヒドロシンナミックアルデヒド、ｐ−イソプロピル−α−メチルヒドロシンナミックアルデヒド、ｐ−エチル−α,α−ジメチルヒドロシンナミックアルデヒド、α−アミルシンナミックアルデヒド、α−ヘキシルシンナミックアルデヒド、ピペロナール、α−メチル−３，４−メチレンジオキシヒドロソンナミックアルデヒド等のアルデヒド類；メチルヘプテノン、４−メチレン−３，５，６，６−テトラメチル−２−ヘプタノン、アミルシクロペンタノン、３−メチル−２−（シス−２−ペンテン−１−イル）−２−シクロペンテン−１−オン、メチルシクロペンテノロン、ローズケトン、γ−メチルヨノン、α−ヨノン、カルボン、メントン、ショウ脳、ヌートカトン、ベンジルアセトン、アニシルアセトン、メチルβ−ナフチルケトン、２，５−ジメチル−４−ヒドロキシ−３（２Ｈ）−フラノン、マルトール、７−アセチル−１，２，３，４，５，６，７，８−オクタヒドロ−1，1，６，７−テトラメチルナフタレン、ムスコン、シベトン、シクロペンタデカノン、シクロヘキサデセノン等のケトン類；アセトアルデヒドエチルフェニルプロピルアセタール、シトラールジエチルアセタール、フェニルアセトアルデヒドグリセリンアセタール、エチルアセトアセテートエチレングリコールケタール類のアセタール類及びケタール類；アネトール、β−ナフチルメチルエーテル、β−ナフチルエチルエーテル、リモネンオキシド、ローズオキサイド、１，８−シネオール、ラセミ体又は光学活性のドデカヒドロ−３ａ，６，６，９ａ−テトラメチルナフト［２，１−ｂ］フラン等のエーテル類；シトロネリルニトリル等のニトリル類；γ−ノナラクトン、γ−ウンデカラクトン、σ−デカラクトン、γ−ジャスモラクトン、クマリン、シクロペンタデカノリド、シクロヘキサデカノリド、アンブレットリド、エチレンブラシレート、１１−オキサヘキサデカノリド等のラクトン類；オレンジ、レモン、ベルガモット、マンダリン、ペパーミント、スペアミント、ラベンダー、カモミル、ローズマリー、ユーカリ、セージ、バジル、ローズ、ゼラニウム、ジャスミン、イランイラン、アニス、クローブ、ジンジャー、ナツメグ、カルダモン、セダー、ヒノキ、ベチバー、パチョリ、ラブダナム等の天然精油や天然抽出物等の他の香料物質等が挙げられる。当該他の香料物質は、単独又は複数配合しても良い。
【００５７】
式（１）で表わされる化合物を含有する香料組成物は、香気付与のため、及び配合対象物の香気の改良を行うために、香粧品、健康衛生材料、雑貨、飲料、食品、医薬部外品、医薬品等の各種製品の香気成分として使用できる。
式（１）で表わされる化合物を含有する香料組成物は、例えば、香水、コロン類等のフレグランス製品；シャンプー、リンス類、ヘアートニック、ヘアークリーム類、ムース、ジェル、ポマード、スプレーその他毛髪用化粧料；化粧水、美容液、クリーム、乳液、パック、ファンデーション、おしろい、口紅、各種メークアップ類等の肌用化粧料；皿洗い洗剤、洗濯用洗剤、ソフトナー類、消毒用洗剤類、消臭洗剤類、室内芳香剤、ファーニチアケアー、ガラスクリーナー、家具クリーナー、床クリーナー、消毒剤、殺虫剤、漂白剤、その他の各種健康衛生用洗剤類；歯磨、マウスウォッシュ、入浴剤、制汗製品、パーマ液等の医薬部外品；トイレットペーパー、ティッシュペーパー等の雑貨；医薬品等；食品等の香気成分として使用することができる。
【００５８】
また、本実施形態の香料あるいは香料組成物の上記製品への配合量は、式（１）で表されるホルミルノルボルナン−２−カルボン酸エステル化合物の量として、製品の全量に対し、好ましくは０．００１〜５０質量％であり、より好ましくは０．０１〜２０質量％である。
【実施例】
【００５９】
以下に、実施例を以って本発明の方法をさらに詳細に説明するが、本発明はこれらの実施例に限定されるものではない。【００６０】
以下の実施例における測定方法を示す。
＜ガスクロマトグラフィー分析条件＞
・分析装置    ：株式会社島津製作所製  キャピラリガスクロマトグラフＧＣ−２０１０  Ｐｌｕｓ
・分析カラム  ：ジーエルサイエンス株式会社製、ＩｎｅｒｔＣａｐ１（３０ｍ、０．３２ｍｍＩ．Ｄ．、膜厚０．２５μｍ
・オーブン温度：６０℃（０．５分間）−昇温速度１５℃／分−２８０℃（４分間）
・検出器      ：ＦＩＤ、温度２８０℃【００６１】
＜カルボン酸エステル化合物収率、選択率＞
ガスクロマトグラフィー分析により、生成物であるカルボン酸エステル化合物の面積割合（ＧＣ％）を求め、内部標準法によりノルボルネン−２−カルボン酸エステル、及びノルボルナン−２−カルボン酸エステル化合物の収率、選択率を下記式により算出した。
・オレフィン基準の収率（モル％）＝ノルボルネン−２−カルボン酸エステルの取得量（モル）／オレフィンの仕込み量（モル）×１００
・ジシクロペンタジエン基準の収率（モル％）＝ノルボルネン−２−カルボン酸エステルの取得量（モル）／ジシクロペンタジエンの仕込み量（モル）×１００／２
・オレフィン基準の選択率（モル％）＝ノルボルネン−２−カルボン酸エステルの取得量（モル）／オレフィンの反応量（モル）×１００
・ジシクロペンタジエン基準の選択率（モル％）＝ノルボルネン−２−カルボン酸エステルの取得量（モル）／ジシクロペンタジエンの反応量（モル）×１００／２
・水素化反応の収率（モル％）＝ノルボルナン−２−カルボン酸エステルの取得量（モル）／（ノルボルネン−２−カルボン酸エステルの仕込み量（モル）×１００
・水素化反応の選択率（モル％）＝ノルボルナン−２−カルボン酸エステルの取得量（モル）／ノルボルネン−２−カルボン酸エステルの反応量（モル）×１００
・ヒドロホルミル化反応の収率（モル％）＝ホルミルノルボルナン−２−カルボン酸エステルの取得量（モル）／ノルボルネン−２−カルボン酸エステルの仕込み量（モル）×１００
・ヒドロホルミル化反応の選択率（モル％）＝ホルミルノルボルナン−２−カルボン酸エステルの取得量（モル）／ノルボルネン−２−カルボン酸エステルの反応量（モル）×１００【００６２】
＜ＧＣ−ＭＳ測定条件＞
・分析装置    ：株式会社島津製作所製、ＧＣＭＳ−ＱＰ２０１０  Ｐｌｕｓ
・イオン化電圧：７０ｅＶ
・分析カラム  ：Ａｇｉｌｅｎｔ  Ｔｅｃｈｎｏｌｏｇｉｅｓ製、ＤＢ−１（３０ｍ、０．３２ｍｍＩ．Ｄ．、膜厚１．００μｍ）
・オーブン温度：６０℃（０．５分間）−昇温速度１５℃／分−２８０℃（４分間）  【００６３】
［実施例１］
（ノルボルネン−２−カルボン酸メチルエステルの合成法）【００６４】
【化１４】
2018051776.tif 000016
【００６５】
磁力誘導式攪拌機と上部に３個の入口ノズルを備えた内容積５００ｍｌのステンレス製オートクレーブを用いて合成を行った。
まず、オートクレーブにｎ−ドデカン（東京化成製試薬特級）１０１．２ｇ仕込み、窒素ガス置換後、液温１９５℃とした。
反応温度を１９５℃に保持しながら、アクリル酸メチル９６．４ｇ（１．１２モル）とジシクロペンタジエン１０５．７ｇ（０．８０モル）の混合液をオートクレーブ上部より１時間かけて供給した後、更に、２時間攪拌を継続した。【００６６】
前記反応液を冷却後、得られた液３０１．０ｇを内部標準法によりガスクロマトグラフィーで分析した結果、目的のノルボルネン−２−カルボン酸メチルエステル化合物１３３．２ｇが含有されていた。アクリル酸メチル基準の成績は収率７８．２モル％、選択率７９．０モル％であり、ジシクロペンタジエン基準の成績は収率５４.７モル％、選択率５９．３モル％であった。
得られた液を理論段数２０段の精留塔を用いて精留を行ったところ（留出温度８８℃、真空度２．７ｋＰａ）、主留部分としてガスクロマトグラフィー分析で９８．５ＧＣ％のものが１２０．５ｇ（蒸留収率９０．５モル％）で得られた。
得られた留分をＧＣ−ＭＳで分析した結果、目的物の分子量１５２を示した。【００６７】
得られた留分は、フルーティの香気のみを持つ公知のフルテート又はローズ様香気のみを持つ公知の酢酸ゲラニルと異なり、完熟バナナとメロン様のフルーティさとオゾン様のマリンノートを合わせ持つ新規な香気を有し、他の公知のエステル又は酢酸ゲラニルに比べ香気持続性が優れる、という特徴があった。【００６８】
（フローラル感を有するアプリコット様フルーティの香料組成物）
まず、表１に示す組成の香料組成物（コントロール品）を作製した。次に、このコントロール品９０質量部に上記で調製したノルボルネン−２−カルボン酸メチルエステル１０質量部を加えて香料組成物を作製した。
得られた香料組成物は、調香師による香り評価において、華やかなガーデニア様フローラル感を有するアプリコット様フルーティの香りであることが確認された。【００６９】
【表１】
2018051776.tif 000017
【００７０】
［実施例２］
（ノルボルネン−２−メチル−２−カルボン酸メチルエステルの合成法）【００７１】
【化１５】
2018051776.tif 000018
【００７２】
オレフィンとして、メタクリル酸メチル１１２．１ｇ（１．１２モル）用いた以外は実施例１と同様にディールス−アルダー反応と処理を行った。
前記反応液を冷却後、得られた液３１６．９ｇを内部標準法によりガスクロマトグラフィーで分析した結果、目的のノルボルネン−２−メチル−２−カルボン酸メチルエステル化合物１４０．０ｇが含有されていた。メタクリル酸メチル基準の成績は収率７５．２モル％、選択率７５．９モル％であり、ジシクロペンタジエン基準の成績は収率５２．７モル％、選択率５７．４モル％であった。
得られた液を理論段数４０段の回転バンド蒸留塔を用いて精留を行ったところ（留出温度９０℃、真空度２．７ｋＰａ）、主留部分としてガスクロマトグラフィー分析で９８．５ＧＣ％のものが１２７．５ｇ（蒸留収率９１．１モル％）で得られた。
得られた留分をＧＣ−ＭＳで分析した結果、目的物の分子量１６６を示した。【００７３】
得られた留分は、フルーティの香気のみを持つ公知のフルテート又はローズ様香気のみを持つ公知の酢酸ゲラニルと異なり、フレッシュなフローラルグリーン調の香りとフルーティさを合わせ持った新規の香気を有し、他の公知のエステル又は酢酸ゲラニルに比べ香気持続性が優れる、という特徴があった。【００７４】
（瑞々しい洋ナシを思わせる様なフルーツタイプの香料組成物）
まず、表２に示す組成の香料組成物（コントロール品）を作製した。次に、このコントロール品９０質量部に上記で調製したノルボルネン−２−メチル−２−カルボン酸メチルエステル１０質量部を加えて香料組成物を作製した。
得られた香料組成物は、調香師による香り評価において、瑞々しい洋ナシを思わせる様なフルーツタイプの香りであることが確認された。【００７５】
【表２】
2018051776.tif 000019
【００７６】
［実施例３］
（ノルボルナン−２−カルボン酸メチルエステルの合成法）【００７７】
【化１６】
2018051776.tif 000020
【００７８】
磁力誘導式攪拌機と上部に３個の入口ノズルを備えた内容積５００ｍｌのステンレス製オートクレーブを用いて水素化反応を行った。
前記オートクレーブに、Ｃｕ−Ｃｒ触媒（日揮製Ｎ−２０３Ｓ）を６．０ｇ、イソプロピルアルコール（和光純薬工業製特級）を１２０．０ｇ仕込み、１７０℃、水素圧２ＭＰａ下で１時間の活性化を行った。冷却後、上記で調製したノルボルネン−２−カルボン酸メチルエステルを６０．０ｇ仕込み、１２０℃、水素圧２ＭＰａ、３時間攪拌して還元反応を行った。反応液を濾過して触媒を除き、ノルボルナン−２−カルボン酸メチルエステル５７．６ｇを含有する反応液１７３．９ｇ得た（転化率１００％、収率９６．２％）。ノルボルネン−２−カルボン酸メチルエステル基準の成績は収率９６．２モル％、選択率１００モル％であった。【００７９】
得られた液を理論段数４０段の回転バンド蒸留塔を用いて精留を行ったところ（留出温度８９℃、真空度２．７ｋＰａ）、主留部分としてガスクロマトグラフィー分析で９８．５ＧＣ％のものが５３．５ｇ（蒸留収率９１．５モル％）で得られた。
得られた留分をＧＣ−ＭＳで分析した結果、目的物の分子量１５４を示した。【００８０】
得られた留分は、フルーティの香気のみを持つ公知のフルテート又はローズ様香気のみを持つ公知の酢酸ゲラニルと異なり、強いフルーティ感のあるハーバルグリーン様の新規な香気を有し、他の公知のエステル又は酢酸ゲラニルに比べ香気持続性が優れる、という特徴があった。【００８１】
（青リンゴのフレッシュ感を持つフルーツタイプの香料組成物）
まず、表３に示す組成の香料組成物（コントロール品）を作製した。次に、このコントロール品９０質量部に上記で調製したノルボルナン−２−カルボン酸メチルエステル１０質量部を加えて香料組成物を作製した。
得られた香料組成物は、調香師による香り評価において、青リンゴのフレッシュ感を持つフルーツタイプの香りであることが確認された。【００８２】
【表３】
2018051776.tif 000021
【００８３】
［実施例４］
（ホルミルノルボルナン−２−カルボン酸メチルエステルの合成法）【００８４】
【化１７】
2018051776.tif 000022
【００８５】
磁力誘導式攪拌機と上部に３個の入口ノズルを備えた内容積５００ｍｌのステンレス製オートクレーブを用いてヒドロホルミル化反応を行った。
前記オートクレーブに、上記で調製したノルボルネン−２−カルボン酸メチルエステルを６０．０g、トルエン１１６．９ｇ、亜リン酸トリフェニル０．３７ｇ、別途調製したＲｈ（ａｃａｃ）(ＣＯ)２のトルエン溶液３．１０ｇ（濃度０．０１ｗｔ％）を加えた。窒素及びＣＯ／Ｈ２混合ガスによる置換を各々３回行った後、ＣＯ／Ｈ２混合ガスで系内を加圧し、１００℃、２ＭＰａにて５時間反応を行った。反応終了後、反応液のガスクロマトグラフィー分析を行い、ホルミルノルボルナン−２−カルボン酸メチルエステル（５−ホルミルノルボルナン−２−カルボン酸メチルエステル及び６−ホルミルノルボルナン−２−カルボン酸メチルエステルの混合物）６９．０gを含有する反応液１８６．９g得た。ノルボルネン−２−カルボン酸メチルエステル基準の成績は収率９６．２モル％、選択率１００モル％であった。【００８６】
得られた液を理論段数４０段の回転バンド蒸留塔を用いて精留を行ったところ（留出温度１１２℃、真空度０．１９ｋＰａ）、主留部分としてガスクロマトグラフィー分析で９８．４ＧＣ％のものが６３．５ｇ（蒸留収率９０．７モル％）で得られた。
得られた留分をＧＣ−ＭＳで分析した結果、目的物の分子量１８２を示した。【００８７】
得られた留分は、フルーティの香気のみを持つ公知のフルテート又はローズ様香気のみを持つ公知の酢酸ゲラニルと異なり、強いメロンやキウイ様フルーティさとフレッシュなマリンノート、及びローズ様フローラルを合わせ持つ新規な香気であり、他の公知のエステル又は酢酸ゲラニルに比べ香気持続性が優れる、という特徴があった。【００８８】
（甘く華やかなガーデニアを思わせるフローラル感を持つフルーツタイプの香料組成物）
まず、表４に示す組成の香料組成物（コントロール品）を作製した。次に、このコントロール品９０質量部に上記で調製したホルミルノルボルナン−２−カルボン酸メチルエステル１０質量部を加えて香料組成物を作製した。
得られた香料組成物は、調香師による香り評価において、甘く華やかなガーデニアを思わせるフローラル感を持つフルーツタイプの香りであることが確認された。【００８９】
【表４】
2018051776.tif 000023
【００９０】
本出願は、２０１６年９月１５日出願の日本特許出願（特願２０１６−１８０４３４号）、２０１６年９月１５日出願の日本特許出願（特願２０１６−１８０４３５号）、及び２０１６年９月１５日出願の日本特許出願（特願２０１６−１８０４３６号）に基づくものであり、この内容はここに参照として取り込まれる。
【産業上の利用可能性】
【００９１】
本発明のノルボルナン骨格を有するカルボン酸エステル化合物は、フルーティさのある香気を持ち、優れた香気持続性を有するため、トイレタリー用品や石鹸、衣料用洗剤等の幅広い製品への賦香成分として有用である。
【手続補正書】
【提出日】平成30年1月15日(2018.1.15)
【手続補正１】
【補正対象書類名】特許請求の範囲
【補正対象項目名】全文
【補正方法】変更
【補正の内容】
【特許請求の範囲】
【請求項１】
（削除）
【請求項２】
以下の式（１−１）〜式（１−３）；
【化３】
2018051776.tif 000031
（式（１−１）中、Ｒ１、Ｒ２、Ｒ３は、独立して、水素であり、
Ｘは、炭素数１〜４のアルキル基である。）
【化４】
2018051776.tif 000032
（式（１−２）中、Ｒ１、Ｒ２、Ｒ３は、独立して、水素であり、
Ｘは、炭素数１〜４のアルキル基である。）
【化５】
2018051776.tif 000033
（式（１−３）中、Ｒ１、Ｒ２、Ｒ３は、独立して、水素又はメチル基であり、
Ｘは、炭素数１〜４のアルキル基であり、
Ｒ４及びＲ５のいずれか一方は、水素であり、もう一方は、−ＣＨＯ基である。）
からなる群より選択される１種以上を含有する、香料組成物。
【請求項３】
請求項２に記載の香料組成物を含有する、香粧品、健康衛生材料、雑貨、飲料、食品、医薬部外品又は医薬品。
【国際調査報告】
2018051776.tif 000034
2018051776.tif 000035
2018051776.tif 000036
2018051776.tif 000037